(57)【特許請求の範囲】
【請求項１】
圧縮記録を行なう表示モニタ付撮像記録装置において、画像ノイズの大きさが変化するようにノイズを発生させるノイズ発生手段と、モニタ信号へ前記画像ノイズを加算するノイズ加算手段とを有し、前記表示モニタのサイズが小さくなるほど、ノイズ加算量を増加させることを特徴とする表示モニタ付撮像記録装置。
【請求項２】
圧縮記録を行なう表示モニタ付撮像記録装置において、圧縮率に比例してブロックノイズの大きさが変化するようにノイズを発生させるブロックノイズ発生手段と、モニタ信号へ前記ブロックノイズを加算するノイズ加算手段とを有し、表示画像の大きさに対応してノイズ加算量を変化させることを特徴とする表示モニタ付撮像記録装置。
【請求項３】
前記表示モニタに、圧縮率に対応した動き予測に用いる画像を表示することを特徴とする請求項１または請求項２に記載の表示モニタ付撮像記録装置。
【請求項４】
圧縮記録を行なう表示モニタ付撮像記録装置において、圧縮率に比例して画像ノイズの大きさが変化するようにノイズを発生させるノイズ発生手段と、モニタ信号へ前記画像ノイズを加算するノイズ加算手段とを有し、前記表示モニタのサイズが小さくなるほど、ノイズ加算量を増加させることを特徴とする表示モニタ付撮像記録装置。
【請求項５】
圧縮記録を行なう表示モニタ付撮像記録装置において、圧縮率に比例してブロックノイズの大きさが変化するようにノイズを発生させるブロックノイズ発生手段と、モニタ信号へ前記画像ノイズを加算するノイズ加算手段とを有し、前記表示モニタのサイズが小さくなるほど、ノイズ加算量を増加させることを特徴とする表示モニタ付撮像記録装置。
【発明の詳細な説明】
【０００１】
【発明の属する技術分野】
本発明は、画像データを圧縮して蓄積する際の画像データ表示方法および装置に関する。
【０００２】
【従来の技術】
従来は、画像表示には圧縮される前の画像をそのまま表示しており、圧縮された画像とは異なったものであった。
【０００３】
そのため、撮影者が撮影の際に観察した画像と、計算機などに取り込んで観測した画像は、圧縮率が大きい場合にはかなり異なったものとなっていた。
【０００４】
画像圧縮部分がハードウェア化されているものでは、圧縮してそれをもとにもどしたものを表示することで、圧縮率の確認が行えるが、圧縮をソフト処理で行っている場合には画像確認のために時間がかかりすぎてしまうため、行われていなかった。
【０００５】
また、表示装置そのものが、実際の画像サイズに比べ小さいために表示を見る限りではブロックノイズ等が見えないが、計算機上で再生するとノイズが目立つなどということがあった。
【０００６】
【発明が解決しようとする課題】
撮影した画像と、撮影の際に液晶画面上で表示される画像が異なる場合、撮影者が、自分で圧縮率を選択することは容易ではない。
【０００７】
間違った選択をした場合には、必要な画像を得ることができず、撮り直しを余儀なくされていた。
【０００８】
本発明では、上記従来の課題を解決することを目的とするものであり、撮影時に画像表示に用いられる画像と、記録される画像の差異をなくす方法を提案する。
【０００９】
【課題を解決するための手段】
本発明によれば、圧縮記録を行なう表示モニタ付撮像記録装置において、画像ノイズの大きさが変化するようにノイズを発生させるノイズ発生手段と、モニタ信号へ前記画像ノイズを加算するノイズ加算手段とを有し、前記表示モニタのサイズが小さくなるほど、ノイズ加算量を増加させる。
【００１０】
また、本発明によれば、圧縮記録を行なう表示モニタ付撮像記録装置において、圧縮率に比例してブロックノイズの大きさが変化するようにノイズを発生させるブロックノイズ発生手段と、モニタ信号へ前記ブロックノイズを加算するノイズ加算手段とを有し、表示画像の大きさに対応してノイズ加算量を変化させる。
【００１１】
また、本発明によれば、前記表示モニタに、圧縮率に対応した動き予測に用いる画像を表示する。
【００１２】
また、本発明によれば、圧縮記録を行なう表示モニタ付撮像記録装置において、圧縮率に比例して画像ノイズの大きさが変化するようにノイズを発生させるノイズ発生手段と、モニタ信号へ前記画像ノイズを加算するノイズ加算手段とを有し、前記表示モニタのサイズが小さくなるほど、ノイズ加算量を増加させる。
【００１３】
また、本発明によれば、圧縮記録を行なう表示モニタ付撮像記録装置において、圧縮率に比例してブロックノイズの大きさが変化するようにノイズを発生させるブロックノイズ発生手段と、モニタ信号へ前記画像ノイズを加算するノイズ加算手段とを有し、前記表示モニタのサイズが小さくなるほど、ノイズ加算量を増加させる。
【００１４】
【発明の実施の形態】
図１は本発明の画像処理の原理図である。
【００１５】
１０１は画像入力部であり、１０２は画像処理部、１０３はメインメモリである。１０４はソフト的に圧縮を行うディジタル・シグナル・プロセッサ（以下、ＤＳＰと略記する）であり、１０５はノイズ量制御、１０６はノイズ加算回路、１０７は画像表示部を示す。
【００１６】
ノイズは、どのようなものでも良いが、ＪＰＥＧ圧縮の際に起きる８ｘ８のブロックノイズを乗せるのが、効果的と思われる。
【００１７】
また、表示装置が小さいことによりノイズが目立ちにくい場合には実際に取得される画像サイズにあわせたブロックノイズを乗せるのではなく、表示画像の大きさに対して、８ｘ８のブロックノイズを乗せることにより、よりはっきりと撮影者にブロックノイズを意識させることができる。
【００１８】
また、ノイズの大きさは圧縮率に応じて大きさが変化するようにする。
【００１９】
図２はＭＰＥＧ動画圧縮時のブロック図を示している。
【００２０】
２０１は画像入力装置、２０２は画像表示装置、２０３はフレームメモリ、２０４はＤＣＴ変換、２０５は量子化、２０６は逆量子化、２０７はＩＤＣＴ変換、２０８はループフィルタ、２０９は予測メモリ、２１０は動きベクトル検出、２１１は符号化パラメータ制御、２１２は可変長符号化、２１３は多重化、２１４はコードバッファを表す。
【００２１】
通常は、画像表示にはフレームメモリを直接出力するが、ＭＰＥＧ動画では、次の画像を作成するために動き予測を行うための予測画像がメモリに蓄えられる。  この画像は、圧縮画像と等価であるので、点線で示すようにこの画像を表示に使用することで表示画像と圧縮画像の差異をなくすことができる。
【００２２】
本発明は、圧縮画像と撮影時に観測する画像に故意にノイズを乗せることで撮影者に圧縮率によるノイズを意識させるもの、又は圧縮画像と同等のものを表示し、撮影者が容易に画像の圧縮率を決定できるようにするものである。
【００２３】
ノイズ成分を乗せる回路はいろいろ考えられるが、たとえば図３のようなものがあげられる。
【００２４】
４０１はノイズ追加回路、４０２は入力バッファ、４０３は原画８ｘ８のマトリックス、４０４は８ｘ８がその輝度平均算出、４０５は高周波成分のパワー（高周波成分の輝度総和）算出、４０６は求めたパワーの量子化、４０７はその逆量子化、４０８は量子化した結果により決まる重み付け制御、４０９は高周波成分の８ｘ８のマトリックス、４１０は低周波成分（８ｘ８画素の平均）の量子化、４１１はその逆量子化、４１２は出力バッファを表す。
【００２５】
４０３と４０９はそれぞれ、メモリ又は、レジスタにより構成される。
【００２６】
ＪＰＥＧによる圧縮ではブロックノイズ成分が問題になる。そこで、図３では８ｘ８のブロック平均を求めた低周波成分と、８ｘ８の原画像から前述の低周波成分を差し引いた高周波成分とに分離し、それぞれのパワーを求め、そのパワーを量子化する。
【００２７】
次に、それらを逆量子化して、その量子化・逆量子化した値と量子化前のパワーとの比をそれぞれの周波数成分に掛けて、足し合わせる。
【００２８】
ブロックのノイズ量はパワーの量子化値で設定することができる。量子化値が大きいと８ｘ８のブロック間が不連続となりブロックノイズが形成される。
【００２９】
図４はＭＰＥＧ動画カメラにおいての実施の形態を示している。
【００３０】
５０１は画像入力部、５０２はメインメモリで、内部にはフレームメモリ、動き予測メモリがある。５０３はＤＳＰで、これにより動画の圧縮が行われる。ＤＳＰはメインメモリを動き予測を行う際のバッファとして用いる。
【００３１】
５０４は表示選択装置で、撮影者の意図によりフレームメモリ及び予測画像（圧縮中の画像）を選択できる。５０５は表示装置である。動き予測メモリは図２で示した２０９に相当する。
【００３２】
【発明の効果】
本発明により、撮影者は撮影の際に圧縮率が高い場合に画像が劣化をしていることを知ることができるため、その場で圧縮率を選択することが可能となる。
【００３３】
本発明では、圧縮率に対応した画像ノイズを発生させるノイズ発生手段と、モニタ信号へ前記画像ノイズを加算するノイズ加算手段とを有することにより、撮影者は撮影の際に圧縮率が高い場合に画像が劣化をしていることを知ることができる。
【００３４】
また本発明では、ノイズ発生手段を圧縮率に対応したブロックノイズを発生させるブロックノイズ発生手段にすることにより、圧縮率の高さに応じてブロックノイズが大きくなることを確認できる。
【００３５】
また本発明では、撮影した動画像をＭＰＥＧで圧縮して記録を行なう表示モニタ付撮像記録装置において、画像モニタ上に動き予測に用いる画像を表示することにより、動き部分がどのように記録されるかを事前に確認できる。
【００３６】
また本発明では、圧縮記録を行なう表示モニタ付撮像記録装置において、圧縮画像と、圧縮前の画像との表示選択を行うことにより、圧縮による画質の劣化具合を事前に確認できる。
【００３７】
また本発明では、圧縮記録を行なう表示モニタ付撮像記録装置において、モニタサイズが小さくなると、ノイズ加算量を増加させることで、モニタサイズに囚われずに画像の劣化量を確認することができ、モニタサイズの異なる機種への設計変更が容易になる。
【図面の簡単な説明】
【図１】本発明のノイズの追加の原理を示すブロック図である。
【図２】本発明のＭＰＥＧ動画の表示原理を示すブロック図である。
【図３】本発明の第１の実施の形態のブロック図である。
【図４】本発明の第２の実施の形態のブロック図である。
【符号の説明】
１０１  画像入力部
１０２  画像処理部
１０３  メインメモリ
１０４  ＤＳＰ
１０５  ノイズ量制御
１０６  ノイズ加算回路
１０７  画像表示部
【図１】
0003559467.tif 000002
【図２】
0003559467.tif 000003
【図３】
0003559467.tif 000004
【図４】
0003559467.tif 000005